(57)【要約】      （修正有）【課題】購買意欲を刺激することのできる容器及び物品排出装置を提供する。【解決手段】容器１Ａは、カプセルが複数収容されるメイン空間が形成されており、当該メイン空間を囲繞する側壁部には、カプセルを下から支持する一対の第１傾斜面部と、第１傾斜面部に対向し、カプセルに上から当接する第２傾斜面部が含まれており、第１傾斜面部及び第２傾斜面部は、所定箇所の横断面視において左右の側壁部２１，２２と平行に配列されている。【選択図】図１
0003220663.tif 000002
【実用新案登録請求の範囲】
【請求項１】
横断面視四角形状を含む多角形状の紙製容器本体を備えた容器であって、
前記容器本体の前側の側壁部の下端部には、当該容器本体の内部と外部とを連通する排出口部が設けられており、
前記排出口部より上側には、前後方向を回動軸方向として回動自在な紙製の送り出し部材が、前記容器本体に軸支されており、
前記送り出し部材には、前記容器本体の内部に位置する有底の受皿部と、前記容器本体の外部に向けて差し出されて外部に露出しているハンドル部と、が設けられており、
さらに前記容器本体内には、前記送り出し部材よりも上側に球状容器型の物品が複数収容される収容空間が形成されており、
当該収容空間を囲繞する側壁部には、前記送り出し部材における前記受皿部に向かって傾斜し前記物品を下から支持する第１傾斜面部と、
前記物品に上から当接する第２傾斜面部と、が含まれている
ことを特徴とする容器。
【請求項２】
前記収容空間を囲繞する側壁部には、一側面に前記第１傾斜面部が形成され、他側面に前記第２傾斜面部が形成された板片部が含まれている
請求項１に記載の容器。
【請求項３】
横断面視四角形状を有する紙製の容器本体を備えた容器であって、
前記容器本体の前側の側壁部の下端部には、当該容器本体の内部と外部とを連通する排出口部が設けられており、
前記排出口部より上側には、前後方向を回動軸方向として回動自在な紙製の送り出し部材が、前記容器本体に軸支されており、
前記送り出し部材には、前記容器本体の内部に位置する有底の受皿部と、前記容器本体の外部に向けて差し出されて外部に露出しているハンドル部と、が設けられており、
さらに前記容器本体内には、前記送り出し部材よりも上側に球状容器型の物品が複数収容される収容空間が形成されており、
当該収容空間には、前記物品を下から支持する複数の転動傾斜段部が、上下方向を軸とする螺旋方向に配列されている
ことを特徴とする容器。
【請求項４】
前記容器本体の側壁部には、前記物品を外部から前記収容空間内へ投入可能な開閉式の扉部が設けられている
請求項１乃至請求項３のいずれか１項に記載の容器。
【請求項５】
前記容器本体内には、前記収容空間から独立した多目的空間が形成されている
請求項１乃至請求項４のうちいずれか１項に記載の容器。
【請求項６】
請求項１乃至請求項５のうちいずれか１項に記載の容器の内部に、球状容器型の物品が複数収容されており、
前記受皿部は、単一の前記物品のみが受容可能とされており、
前記送り出し部材を回動することにより、前記受皿部に受容された前記物品が１個ずつ前記排出口部に向かって落下して前記排出口部から排出される
ことを特徴とする物品排出装置。
【考案の詳細な説明】
【技術分野】
【０００１】
本考案は、容器、及び前記容器内に球状容器型の物品が複数収容されて、送り出し部材を回動させることによって排出口部から当該物品が順次排出される物品排出装置に関する。
【背景技術】
【０００２】
従来の紙製容器にあっては、例えば特許文献１に開示された紙容器のように、内部に収容された物品を取り出す際に当該紙容器の所定部位を切り取る構成としたり、蓋を取って開口部を開放したりするものが主であった。
【先行技術文献】
【特許文献】
【０００３】
【特許文献１】特開２００９−６２０７８号公報
【考案の概要】
【考案が解決しようとする課題】
【０００４】
しかしながら、収容物の取り出し態様が陳腐化しており、当該容器を用いて商品を収容した場合、購買意欲を刺激するには限界が生じていた。
【０００５】
本考案は、従来にない構造で安定して物品を取り出し可能とし、購買意欲を刺激することができ、特に子供達に対して遊び心を刺激することのできる容器及び物品排出装置を提供することを目的とする。
【課題を解決するための手段】
【０００６】
本考案は、横断面視四角形状を含む多角形状の紙製容器本体を備えた容器であって、前記容器本体の前側の側壁部の下端部には、当該容器本体の内部と外部とを連通する排出口部が設けられており、前記排出口部より上側には、前後方向を回動軸方向として回動自在な紙製の送り出し部材が、前記容器本体に軸支されており、前記送り出し部材には、前記容器本体の内部に位置する有底の受皿部と、前記容器本体の外部に向けて差し出されて外部に露出しているハンドル部と、が設けられており、さらに前記容器本体内には、前記送り出し部材よりも上側に球状容器型の物品が複数収容される収容空間が形成されており、当該収容空間を囲繞する側壁部には、前記送り出し部材における前記受皿部に向かって傾斜し前記物品を下から支持する第１傾斜面部と、前記物品に上から当接する第２傾斜面部と、が含まれていることを特徴とする容器である。
【０００７】
また本考案は、横断面視四角形状を有する紙製の容器本体を備えた容器であって、前記容器本体の前側の側壁部の下端部には、当該容器本体の内部と外部とを連通する排出口部が設けられており、前記排出口部より上側には、前後方向を回動軸方向として回動自在な紙製の送り出し部材が、前記容器本体に軸支されており、前記送り出し部材には、前記容器本体の内部に位置する有底の受皿部と、前記容器本体の外部に向けて差し出されて外部に露出しているハンドル部と、が設けられており、さらに前記容器本体内には、前記送り出し部材よりも上側に球状容器型の物品が複数収容される収容空間が形成されており、当該収容空間には、前記物品を下から支持する複数の転動傾斜段部が、上下方向を軸とする螺旋方向に配列されていることを特徴とする容器である。
【０００８】
かかる構成にあっては、組立式の容器本体とした場合に、ブランクをコンパクトに折り畳んだ状態として、組立前のブランクを手軽にノベルティとして配布することが可能となる。また、例えば折り畳まれた状態で子供用の工作目的で配布し、容器本体の外面に自由に絵を描きながら組み上げることも可能となる。なお、横断面視四角形状とした場合には、前記収容空間としての容器内の限られた空間を有効に活用でき、容器として陳列された場合に、収容空間を十分に確保することができる。
【０００９】
ここで、上述のように、第１傾斜面部と第２傾斜面部とを備えた構成の場合には、収容空間内の多数の物品（例えばカプセル）が受皿部に向かって押さえ付けられることとなって、物品が噛み込むことなく受皿部に安定して供給されることとなる。
【００１０】
また、前記収容空間を囲繞する側壁部には、一側面に前記第１傾斜面部が形成され、他側面に前記第２傾斜面部が形成された板片部が含まれている構成が提案される。
【００１１】
このように、単一の板片部が前記第１傾斜面部と前記第２傾斜面部とを兼ね備えた構成とすることにより、部品点数を少なくしつつ、十分な広さの収容空間を適正に形成することができる。
【００１２】
また、複数の転動傾斜段部が螺旋方向に配列されている場合には、収容空間内の多数の物品が受皿部に向かって、噛み込むことなく安定して適切に転動することとなる。
【００１３】
また、前記容器本体の側面には、前記物品を外部から前記収容空間内へ投入可能な開閉式の扉部が設けられている構成が提案される。
【００１４】
かかる構成とすることにより、前記容器から排出された前記物品を前記扉部から前記収容空間内へ投入することを繰り返して遊び道具として遊ぶことができる。
【００１５】
さらに、前記容器本体内には、前記収容空間とは独立した多目的空間が設けられている構成が提案される。
【００１６】
かかる構成とすることにより、前記多目的空間内に例えばお菓子やおまけ等を、別途、収容することが可能となる。
【００１７】
さらに本考案は、前記容器の内部に、球状容器型の物品が複数収容されており、前記受皿部は、単一の前記物品のみが受容可能とされており、前記送り出し部材を回動することにより、前記受皿部に受容された前記物品が１個ずつ前記排出口部に向かって落下して前記排出口部から排出されることを特徴とする物品排出装置である。
【考案の効果】
【００１８】
本考案にかかる容器は、ブランクを折り畳んだ状態として、組立前のブランクを手軽にノベルティとして配布することが可能となる。
【００１９】
また本考案にかかる物品排出装置は、収容されている物品を、適切に排出することができると共に、主に子供達に対して遊び心を刺激して、さらには物品の購買意欲を刺激することができる優れた効果がある。
【図面の簡単な説明】
【００２０】
【図１】実施例１にかかる容器の正面図である。
【図２】実施例１にかかる容器本体の内部を示す平面図であり、蓋体を開放して示している。
【図３】実施例１にかかる内部構造体の正面図である。
【図４】実施例１にかかる側壁部と傾斜面部とが所定断面において平行であることを示す説明図である。
【図５】実施例１にかかる送り出し部材を示し、（ａ）は平面図であり、（ｂ）は側面図である。
【図６】実施例１にかかる容器においてカプセルが受皿部に受容された状態を示す説明図である。
【図７】実施例１にかかる容器においてカプセルが受皿部から落下する状態を示す説明図である。
【図８】実施例２にかかる容器の正面図である。
【図９】実施例２にかかる容器本体の内部を示す平面図であり、蓋体を開放して示している。
【図１０】実施例２にかかる内部構造体を上方から視た斜視図である。
【図１１】実施例２にかかる透明扉部を開いてカプセルを投入する態様を示す説明図である。
【図１２】実施例３にかかる容器の収容空間を示す説明図である。
【考案を実施するための形態】
【００２１】
以下に本考案を具体化した実施例を詳細に説明する。なお、本考案は、下記に示す実施例に限定されることはなく、適宜、設計変更が可能である。
【００２２】
〔実施例１〕
物品排出装置型のおもちゃとしても用いることができる容器１Ａを図１〜図７に従って説明する。
【００２３】
図１，図２に示すように、容器１Ａは、横断面視四角形状を有する直方体形状で紙製の容器本体１０を備えている。さらに、容器本体１０は、外形を形成する紙製の外箱部材１１と、外箱部材１１の内部に収容される紙製の内部構造体１２（図２参照）と、を備えている。
【００２４】
ここで、内部構造体１２は、図２に示すように、外箱部材１１の内部において球状容器型のカプセル（物品）Ｃが複数収容されるメイン空間（収容空間）Ｓ１と、メイン空間Ｓ１とは独立したサブ空間（多目的空間）Ｓ２とを前後に区分けする仕切り壁部３１（図２参照）を有している。
【００２５】
一方、外箱部材１１は、互いに平行な右側壁部２１及び左側壁部２２を備えていると共に、正面に位置する前側壁部２３を備えている。また、前側壁部２３には、メイン空間Ｓ１を外部から視認可能とする透明なプラスチック材料からなる透窓部２４が形成されている。さらに、前側壁部２３の下端部には、容器本体１０の内部と外部とを連通する排出口部２５が設けられている。また、排出口部２５の上側には、後述する送り出し部材４０のハンドル部４２が配置されるハンドル孔部２６が形成されている。
【００２６】
次に、図３にしたがって、内部構造体１２についてさらに詳しく説明する。
上述のように、内部構造体１２は仕切り壁部３１を備えているところ、この仕切り壁部３１の最下部には、第１排出坂部３２が形成されている。第１排出坂部３２は、容器本体１０の排出口部２５に臨む位置に配されており、下に向かうに従って排出口部２５側へ下方傾斜している。
【００２７】
さらに、第１排出坂部３２の右側には、第１排出坂部３２に向かうに従って第１排出坂部３２側へ下方傾斜する第２排出坂部３３が設けられている。
【００２８】
また、仕切り壁部３１において、外箱部材１１のハンドル孔部２６に対向する位置には、送り出し部材４０を軸支する円形状の支持孔部３４が貫通状に形成されている。
【００２９】
また、支持孔部３４よりも上側にメイン空間Ｓ１が形成されており、このメイン空間Ｓ１を囲繞する側壁部には、一対の第１傾斜面部３６，３７が設けられている。かかる第１傾斜面部３６，３７は、送り出し部材４０の受皿部４１に向かって傾斜しており、カプセルＣを下から支持してカプセルＣを受皿部４１の方向へ適切に案内する。
【００３０】
またメイン空間Ｓ１を囲繞する側壁部には、一方の第１傾斜面部３７よりも上方に位置し、かつ対向状に配置された第２傾斜面部３８が設けられている。この第２傾斜面部３８は、メイン空間Ｓ１に収容されたカプセルＣに対して上から当接可能となっている。
【００３１】
なお、第１傾斜面部３６，３７及び第２傾斜面部３８は、図４に示すように、所定箇所における横断面視において右側壁部２１及び左側壁部２２と平行に配列されており、容器本体１０の内部空間が無駄なく有効活用されている。
【００３２】
次に、送り出し部材４０について説明する。
【００３３】
送り出し部材４０は、紙製で有底箱形であり、容器本体１０の内部を横切るように配置されている。さらに詳述すると、送り出し部材４０は、外箱部材１１のハンドル孔部２６と内部構造体１２の支持孔部３４とによって回動自在に軸支されている。かかる状態で、送り出し部材４０は、容器１Ａにおける前後方向を回動軸方向として回動自在となっている。
【００３４】
そして、送り出し部材４０には、図５に示すように、容器本体１０の内部に位置する有底の受皿部４１と、容器本体１０の外部に向けて差し出されて外部に露出しているハンドル部４２と、が設けられている。
【００３５】
さらに送り出し部材４０には、受皿部４１の一側の側壁部が突出して突壁部４３が形成されているとともに、対向する他側の側壁部はへこんで凹壁部４４が形成されている。
【００３６】
次に、容器１Ａの使用状態を説明する。
【００３７】
容器１Ａのメイン空間Ｓ１に複数のカプセルＣが収容された状態で、カプセルＣを容器１Ａから取り出す際には、図６に示したように、送り出し部材４０のハンドル部４２を手で回動させる。そうすると、送り出し部材４０の受皿部４１にいずれかのカプセルＣが受け入れられる。
【００３８】
そして、図７に示すように、送り出し部材４０の回動に伴って受皿部４１が下向きになると、受け入れられたカプセルＣが第２排出坂部３３に向かって落下し、落下したカプセルＣは第２排出坂部３３から第１排出坂部３２へ転がり、容器本体１０の排出口部２５から外部へ排出される。
【００３９】
なお、受皿部４１の一側の側壁部に突壁部４３が形成されていることで、送り出し部材４０の回動に伴って受皿部４１に受け入れられなかったカプセルＣまでもが第２排出坂部３３に落下してしまうことが防止されている。また、凹壁部４４が形成されていることで、受皿部４１にカプセルＣが受け入れられ易くなっている。
【００４０】
次に、メイン空間Ｓ１内に収容されているカプセルＣの挙動について説明する。
メイン空間Ｓ１内に収容されたカプセルＣは、第１傾斜面部３６，３７によって受皿部４１へと案内される。また、積み重なったカプセルＣのうち上の方のカプセルＣは、第２傾斜面部３８が上から当接することによって受皿部４１方向へ押さえつけられており、受皿部４１以外の方向へ逃げてしまうことが防止されている。
【００４１】
〔実施例２〕
次に、他の実施形態の容器１Ｂを図８〜図１１に従って説明する。なお、本実施例において、実施例１と同様の構成を有するものは説明を省略し、要部のみを記載する。
【００４２】
図８等に示すように、容器１Ｂは、横断面視四角形状を有する直方体形状で紙製の容器本体５０を備えている。容器本体５０は、外形を形成する箱形状で紙製の外箱部材５１と、外箱部材５１の内部に収容され、外箱部材１１の内部において収容空間Ｓ３の下側に配置される紙製の内部構造体５２と、を備えている。
【００４３】
また、外箱部材５１は、前側壁部６３を備えており、前側壁部６３には、収容空間Ｓ３を外部から視認可能とする開閉式の透明扉部６４が形成されている。また前側壁部６３の下端部には、排出口部６５が設けられている。
【００４４】
また、排出口部６５の上側には、送り出し部材８０のハンドル部８２が配置されるハンドル孔部６６が形成され、送り出し部材８０は、ハンドル孔部６６と支持孔部７４とによって回動自在に軸支されている。
【００４５】
内部構造体５２は、図９，図１０に示すように、上端から順に２段の転動傾斜段部７１，７２が配設されている。転動傾斜段部７１，７２は容器本体５０の四角形状に沿って半時計回りに螺旋状に配列されている。また、転動傾斜段部７１，７２の傾斜方向は、図１１に示すように、矢印の方向に向かって斜めに下方傾斜している。
【００４６】
このような収容空間Ｓ３に収容されたカプセルＣは、転動傾斜段部７１，７２によって送り出し部材８０の受皿部８１に向かって転動するため、送り出し部材８０の回動操作によって収容空間Ｓ３に収容されたカプセルＣが適切に受皿部８１に案内されていくこととなる。
【００４７】
また、外箱部材５１の前側壁部６３に透明扉部６４が形成されているため、図１１に示すように、当該透明扉部６４を開け、そこからカプセルＣを収容空間Ｓ３内に投入することができる。
【００４８】
〔実施例３〕
次に、他の実施形態の容器１Ｃを図１２に従って説明する。なお、本実施例において、実施例１，２と同様の構成を有するものは説明を省略し、要部のみを記載する。
【００４９】
図１２に示すように、容器１Ｃの収容空間Ｓ４には、右側壁部９１から突き出すように右板片部１０１が設けられており、左側壁部９２から突き出すように左板片部１０２が設けられている。右板片部１０１及び左板片部１０２は共に、送り出し部材９０の受皿部９３へ向かって下方傾斜している。ここで、右板片部１０２の上側面が第１傾斜面部１１１としてカプセルＣを下から支持し、下側面が第２傾斜面部１１２としてカプセルＣを上から当接する。同様に、左板片部１０２の上側面が第１傾斜面部１１３としてカプセルＣに下から支持し、下側面が第２傾斜面部１１４としてカプセルＣに上から当接する。
【００５０】
容器１Ｃにあっては、右板片部１０１が単一で第１傾斜面部１１１と第２傾斜面部１１２とを備え、左板片部１０２も単一で第１傾斜面部１１３と第２傾斜面部１１４とを備えている。これにより、部品点数を少なくしつつ、十分な広さの収容空間Ｓ４を適正に形成することができる。
【００５１】
ここで、上述した容器１Ａ，１Ｂ，１Ｃは、送り出し部材４０，８０，９０のハンドル部４２，８２（容器１Ｃについては図示せず）を手で回動させることによって、内部に収容されたカプセルＣをひとつずつ排出させることができ、物品排出装置として、子供達の遊び道具として用いることができる。また、興趣性の高い販促品、ノベルティ、又は景品プレゼントのツールとして使用することもできる。また、主要部が紙製であることから、安価に製造できる。さらに、カプセルＣを傷つけることがなく、使用者に怪我を負わせるような心配がない。なお、カプセルＣには、当たりくじ、おみくじ、お菓子、又はおもちゃなどが収容可能である。
【００５２】
また、上記実施例１の容器１Ａの場合、サブ空間Ｓ２が設けられており、当該サブ空間Ｓ２にカプセルＣ以外の物品を別途収容することができる。当然、上記実施例２の容器１Ｂや実施例３の容器１Ｃにサブ空間Ｓ２を設けても構わない。容器１Ａを遊び道具として、サブ空間Ｓ２に、メイン空間Ｓ１に収容しきれないカプセルＣを収容する構成であってもよい。
【００５３】
容器１Ａ，１Ｂ，１Ｃの主要部は、紙製のブランクを適宜折り曲げ加工することによって製造することができ、大量生産にも向いている。
【００５４】
なお、容器本体１０，５０は横断面視四角形状である必要はなく、例えば横断面視六角形状等の多角形状であっても構わない。第１傾斜面部３６，３７，１１１，１１３や、第２傾斜面部３８，１１２，１１４、転動傾斜段部７１，７２の数や形状は上記実施例のものに限定されない。送り出し部材４０，８０，９０の形状も特に限定されない。透明な透窓部２４や透明扉部６４は必須のものではないが、容器１Ａ，１Ｂのメイン空間Ｓ１，Ｓ３に収容されたカプセルＣやその内部を外部から視認可能とすることで、入手欲求を高めて容器１Ａ，１Ｂの使用を促す効果が期待できる。また、外箱部材１１，５１の外周面には、オリジナルな印刷図柄を付してもよい。
【符号の説明】
【００５５】
１Ａ，１Ｂ                  容器（物品排出装置）
１０，５０                  容器本体
１１，５１                  外箱部材
１２，５２                  内部構造体
２１，９１                  右側壁部
２２，９２                  左側壁部
２３，６３                  前側壁部
２４                        透窓部
２５，６５                  排出口部
２６，６６                  ハンドル孔部
３１                        仕切り壁部
３２                        第１排出坂部
３３                        第２排出坂部
３４，７４                  支持孔部
３６，３７，１１１，１１３  第１傾斜面部
３８，１１２，１１４        第２傾斜面部
４０，８０，９０            送り出し部材
４１，８１，９３            受皿部
４２，８２                  ハンドル部
４３                        突壁部
４４                        凹壁部
６４                        透明扉部（扉部）
７１，７２                  転動傾斜段部
Ｃ                          カプセル
Ｓ１，Ｓ３，Ｓ４            収容空間
Ｓ２                        サブ空間（多目的空間）
【図１】
0003220663.tif 000003
【図２】
0003220663.tif 000004
【図３】
0003220663.tif 000005
【図４】
0003220663.tif 000006
【図５】
0003220663.tif 000007
【図６】
0003220663.tif 000008
【図７】
0003220663.tif 000009
【図８】
0003220663.tif 000010
【図９】
0003220663.tif 000011
【図１０】
0003220663.tif 000012
【図１１】
0003220663.tif 000013
【図１２】
0003220663.tif 000014